(57)【要約】  【課題】記録媒体の不良により録画不能が発生しても、他の記録媒体へバックアップ録画ができるようにしてユーザの便宜を図る。  【解決手段】ＤＶＤレコーダ２において、ＤＶＤ１への録画中にディスクの不良が原因で録画ができなくなった場合、ＤＶＤマイコン２３がこれを検知してＴＶＣＲマイコン６へ録画不能を通知する。ＴＶＣＲマイコン６は、録画不能の通知を受け取ると、ＶＣＲ５へ録画指令を与える。ＶＣＲ５は、ＴＶＣＲマイコン６からの録画指令に基づき、ＤＶＤ１が録画不能となった以後の映像をビデオカセットテープ４へ記録する。【選択図】  図２
2006197314.tif 000002
【特許請求の範囲】
【請求項１】
受信した放送信号を処理して映像をモニタに映し出すテレビジョン受像機と、ＤＶＤ（Digital Versatile Disk）に対して映像の録画再生を行うＤＶＤレコーダと、ビデオカセットテープに対して映像の録画再生を行うビデオカセットレコーダとが一体化された録画再生装置において、
ＤＶＤレコーダの動作を制御する第１のマイクロコンピュータと、ビデオカセットレコーダの動作を制御する第２のマイクロコンピュータとを備え、
前記第１のマイクロコンピュータは、ＤＶＤレコーダが録画を開始した後に、ＤＶＤの不良により録画が不能となったか否かを判定し、録画が不能となった場合に、第２のマイクロコンピュータへ録画不能の通知を行い、
前記第２のマイクロコンピュータは、第１のマイクロコンピュータから録画不能の通知を受け取ると、ビデオカセットレコーダによるバックアップ録画の実行が初期設定されているか否か、およびビデオカセットレコーダがバックアップ録画可能な状態にあるか否かを判定し、前記初期設定がされており、かつビデオカセットレコーダがバックアップ録画可能な状態にあると判定した場合に、ビデオカセットレコーダに対して録画の指令を与えて、ＤＶＤレコーダで録画不能となった以後の映像をビデオカセットテープに引き続き録画させることを特徴とする録画再生装置。
【請求項２】
第１の記録媒体に対して映像の録画再生を行う第１のレコーダと、第２の記録媒体に対して映像の録画再生を行う第２のレコーダとを備えた録画再生装置において、
前記第１の記録媒体の不良により第１のレコーダが録画不能となったか否かを判定する判定手段と、
前記判定手段が第１のレコーダの録画不能を判定した場合に、第２のレコーダにより、第１のレコーダで録画不能となった以後の映像を引き続き第２の記録媒体に録画させる制御手段と、
を備えたことを特徴とする録画再生装置。
【請求項３】
請求項２に記載の録画再生装置において、
前記制御手段は、第２の記録媒体によるバックアップ録画の実行が初期設定されているか否かを判定し、前記初期設定がされていると判定した場合に、第２のレコーダにより、第１のレコーダで録画不能となった以後の映像を引き続き第２の記録媒体に録画させることを特徴とする録画再生装置。
【請求項４】
請求項３に記載の録画再生装置において、
前記制御手段は、さらに、第２のレコーダがバックアップ録画可能な状態にあるか否かを判定し、前記初期設定がされており、かつバックアップ録画可能な状態にあると判定した場合に、第２のレコーダにより、第１のレコーダで録画不能となった以後の映像を引き続き第２の記録媒体に録画させることを特徴とする録画再生装置。
【請求項５】
請求項３に記載の録画再生装置において、
前記第１のレコーダによるタイマー予約録画を行う場合に、当該予約録画の設定画面に、バックアップ録画の初期設定状態を表示することを特徴とする録画再生装置。
【請求項６】
請求項４に記載の録画再生装置において、
前記第１のレコーダによるタイマー予約録画を行う場合に、バックアップ録画の実行が初期設定されているにもかかわらず、第２のレコーダがバックアップ録画可能な状態にないときは、タイマー予約録画の設定画面に、バックアップ録画ができない旨を表示することを特徴とする録画再生装置。
【請求項７】
請求項６に記載の録画再生装置において、
バックアップ録画ができない原因をメッセージで表示することを特徴とする録画再生装置。
【請求項８】
請求項２ないし請求項７のいずれかに記載の録画再生装置において、
前記第１のレコーダは、第１の記録媒体に記録する映像のデータを一時的に記憶する記憶手段を備え、
前記第２のレコーダは、第１のレコーダで録画が不能となった時点から、前記記憶手段に記憶されている映像のデータに基づいて第２の記録媒体に録画を行うことを特徴とする録画再生装置。
【請求項９】
請求項２ないし請求項８のいずれかに記載の録画再生装置において、
前記第１の記録媒体がＤＶＤで、前記第１のレコーダがＤＶＤレコーダであり、
前記第２の記録媒体がビデオカセットテープで、前記第２のレコーダがビデオカセットレコーダであることを特徴とする録画再生装置。
【請求項１０】
請求項２ないし請求項８のいずれかに記載の録画再生装置において、
前記第１の記録媒体がＤＶＤで、前記第１のレコーダがＤＶＤレコーダであり、
前記第２の記録媒体がハードディスクで、前記第２のレコーダがハードディスクレコーダであることを特徴とする録画再生装置。
【発明の詳細な説明】
【技術分野】
【０００１】
本発明は、たとえば、ＤＶＤレコーダとビデオカセットレコーダとが一体化された録画再生装置に関するものである。
【背景技術】
【０００２】
ＤＶＤ（Digital Versatile Disk）は、映像をデジタル信号として記録する大容量の記録媒体であり、コンパクトな上に鮮明な映像を再生でき、編集も容易であることから、今日ではＤＶＤレコーダとともに広く普及している。一方、ビデオカセットテープは、映像をアナログ信号として記録する記録媒体であり、容量や画質等の点でＤＶＤには劣るが、ビデオカセットレコーダとともに今日でも一般家庭で広く用いられている。さらに、ＤＶＤレコーダとビデオカセットレコーダとが一体になった複合機や、テレビジョン受像機とＤＶＤレコーダとビデオカセットレコーダとが一体になった複合機も登場するなど、多種多様な録画再生装置が開発され市場に供給されている。
【０００３】
このような録画再生装置において、記録媒体の状態によっては録画が正常に行えない場合がある。その典型的な例が、ＤＶＤのような光ディスクである。ＤＶＤレコーダによりＤＶＤに録画を行う場合、ＤＶＤをレコーダ本体へ装填して所定の操作を行うと録画が開始されるが、ＤＶＤはキズや変形等を受けやすく、このような不良要因があると、レーザ光によるディスク面への記録が正常に行えなくなり、記録エラーが発生する。この結果、所望の番組等を録画することができなくなり、ユーザにとって不測の損害が生じる。
【０００４】
下記の特許文献１には、光ディスク装置とビデオテープレコーダとを備えた録画再生装置において、光ディスクへの録画中にディスクの空き容量がなくなれば、光ディスクへの録画を中断して、ビデオテープレコーダによりテープへの録画を開始することが記載されている。しかしながら、この特許文献１の装置は、光ディスクの記録容量一杯まで録画が行われるのを待って、ビデオテープへの録画に切り替わるものであり、光ディスクへの録画途中でエラーが発生した場合のことは何も考慮されていない。このため、録画の途中で光ディスクの不良によりディスクへの記録ができなくなった場合は、その時点でエラーとなって、以後はディスクにもテープにも録画は行われない。したがって、前述したように所望の番組等を録画することができず、ユーザが不測の損害を被るという問題に対する解決策とはなり得ない。
【特許文献１】特開平３−２５４４８６号公報
【発明の開示】
【発明が解決しようとする課題】
【０００５】
本発明は、上述した問題点に鑑みなされたもので、その課題とするところは、記録媒体の不良により録画不能が発生しても、他の記録媒体へバックアップ録画ができるようにしてユーザの便宜を図った録画再生装置を提供することにある。
【課題を解決するための手段】
【０００６】
本発明は、第１の記録媒体に対して映像の録画再生を行う第１のレコーダと、第２の記録媒体に対して映像の録画再生を行う第２のレコーダとを備えた録画再生装置において、第１の記録媒体の不良により第１のレコーダが録画不能となったか否かを判定する判定手段と、この判定手段が第１のレコーダの録画不能を判定した場合に、第２のレコーダにより、第１のレコーダで録画不能となった以後の映像を引き続き第２の記録媒体に録画させる制御手段とを設けたものである。
【０００７】
本発明においては、第１の記録媒体の不良が原因で当該記録媒体への録画ができなくなった場合に、判定手段がこれを判定し、この判定結果に基づいて制御手段が第２のレコーダに第２の記録媒体への録画を行わせるので、第１の記録媒体が記録の途中であっても、第１のレコーダで記録エラーが発生した時点から、以後の番組等の映像を第２の記録媒体に引き続いて録画することができる。このため、ユーザは、記録エラーが発生するまでの録画は第１の記録媒体を再生することで視聴することができ、記録エラーが発生した以後の録画は第２の記録媒体を再生することで視聴することができる。
【０００８】
また、本発明において、制御手段は、第２の記録媒体によるバックアップ録画の実行が初期設定されているか否かを判定し、初期設定がされていると判定した場合に、第２のレコーダにより、第１のレコーダで録画不能となった以後の映像を引き続き第２の記録媒体に録画させる。これによると、ユーザは初期設定においてバックアップ録画の実行・不実行を状況に応じて選択することができ、バックアップ録画を不実行に設定することで、第２の記録媒体に予め記録されている内容がバックアップ録画により上書きされ消去されるのを未然に防止することができる。
【０００９】
また、本発明において、制御手段は、さらに、第２のレコーダがバックアップ録画可能な状態にあるか否かを判定し、バックアップ録画の実行が初期設定されており、かつバックアップ録画可能な状態にあると判定した場合に、第２のレコーダにより、第１のレコーダで録画不能となった以後の映像を引き続き第２の記録媒体に録画させる。これによると、２つの条件が満たされた場合に、バックアップ録画が実行される。
【００１０】
また、本発明では、第１のレコーダによるタイマー予約録画を行う場合に、当該予約録画の設定画面に、バックアップ録画の初期設定状態を表示する。これによると、ユーザは録画に先立ってバックアップ録画の実行有無を確認できるため、第２の記録媒体の記録内容が誤って消去されるのを確実に防止することができる。
【００１１】
また、本発明では、第１のレコーダによるタイマー予約録画を行う場合に、バックアップ録画の実行が初期設定されているにもかかわらず、第２のレコーダがバックアップ録画可能な状態にないときは、タイマー予約録画の設定画面に、バックアップ録画ができない旨を表示する。これによると、ユーザに対して、バックアップ録画の実行は初期設定されているが、録画可能な第２の記録媒体が装填されていないなど、第２のレコーダが録画可能な状態にないことを知らせることができる。この場合、バックアップ録画ができない原因をメッセージで表示するようにしてもよい。これによると、ユーザは録画のできない原因を容易に知ることができるので、的確な対応をとることができる。
【００１２】
また、本発明において、第１のレコーダは、第１の記録媒体に記録する映像のデータを一時的に記憶する記憶手段を備え、第２のレコーダは、第１のレコーダで録画が不能となった時点から、記憶手段に記憶されている映像のデータに基づいて第２の記録媒体に録画を行う。これによると、録画不能が発生した時点から第２のレコーダが実際のバックアップ録画を開始するまでにタイムラグがあっても、録画不能の発生直後の映像から第２の記録媒体に記録を行うことが可能となる。
【００１３】
本発明の典型的な実施形態においては、第１の記録媒体がＤＶＤで、第１のレコーダがＤＶＤレコーダであり、第２の記録媒体がビデオカセットテープで、第２のレコーダがビデオカセットレコーダである。また、他の実施形態として、第１の記録媒体がＤＶＤで、第１のレコーダがＤＶＤレコーダであり、第２の記録媒体がハードディスクで、第２のレコーダがハードディスクレコーダである場合にも本発明は有用である。
【発明の効果】
【００１４】
本発明によれば、第１の記録媒体の不良によって録画不能が発生しても、第２の記録媒体へバックアップ録画ができるので、第２の記録媒体を再生することにより所望の番組等を継続して視聴することができ、ユーザが不測の損害を被るのを未然に防止することができる。
【発明を実施するための最良の形態】
【００１５】
以下、本発明の実施形態につき図を参照して説明する。図１は、本発明にかかる録画再生装置の一例を示す正面外観図である。この録画再生装置Ａは、テレビジョン受像機（以下「テレビ」という。）と、ＤＶＤレコーダと、ビデオカセットレコーダ（以下「ＶＣＲ」という。）とが一体化された複合機である。３０はテレビであって、受信した放送信号を処理して映像をモニタ３１に映し出す。ＤＶＤレコーダおよびＶＣＲは、テレビ３０の本体に内蔵されている。３２はＤＶＤレコーダの一部を構成するディスクトレイであって、このディスクトレイ３２にセットされたＤＶＤに対して、ＤＶＤレコーダが映像の記録再生を行う。ＤＶＤレコーダで再生された映像は、モニタ３１に表示される。３３はＶＣＲの一部を構成するテープ挿入口であって、このテープ挿入口３３に挿入されたビデオカセットテープに対して、ＶＣＲが映像の記録再生を行う。ＶＣＲで再生された映像は、モニタ３１に表示される。３４は各種の操作ボタンを有する操作部、３５は図示しないリモコンからの送信信号を受信するリモコン受信部、３６は外部機器を接続するための外部入力端子である。
【００１６】
図２は、録画再生装置Ａの電気的構成を示したブロック回路図である。なお、ここでは本発明に関係する部分のみを図示してある。１は記録媒体であるＤＶＤ、２はＤＶＤ１に対して映像の録画再生を行うＤＶＤレコーダである。３はテレビ３０のモニタ３１に映像を表示するための信号を処理するテレビＩＣ（Integrated Circuit）である。４は記録媒体であるビデオカセットテープ、５はテープ４に対して映像の録画再生を行うＶＣＲである。８は所定周波数の放送信号を選局するチューナ、３６は図１で示した外部入力端子である。６はテレビとＶＣＲに共通のマイクロコンピュータ（以下「ＴＶＣＲマイコン」という）、７はＲＯＭやＲＡＭ等から構成されるメモリである。３４は図１で示した操作部、３５は図１で示したリモコン受信部である。１２〜１４は信号の経路を切り替えるスイッチであって、各スイッチは電子スイッチから構成され、ＴＶＣＲマイコン６からの指令（図に破線で示す）に基づいて切替動作を行う。
【００１７】
ＤＶＤレコーダ２において、２１はＤＶＤ１に対してデータの記録および再生を行うディスクドライブ、２２はディスクドライブ２１によりＤＶＤ１へ記録する信号、およびディスクドライブ２１によりＤＶＤ１から読み取った信号を処理する信号処理部、２３はＤＶＤレコーダ２の動作を制御するマイクロコンピュータ（以下「ＤＶＤマイコン」という）、２４はＲＯＭやＲＡＭ等から構成されるメモリである。信号処理部２２からは、輝度信号Ｙおよび色信号ＣがテレビＩＣ３へ出力されるとともに、コンポジット信号がスイッチ１４を介してＶＣＲ５へ出力される。
【００１８】
チューナ８および外部入力端子３６とＤＶＤレコーダ２との間には、スイッチ１２、１３が設けられている。スイッチ１２がａ側に切り替わっており、スイッチ１３がｃ側に切り替わっているときは、チューナ８で受信された映像信号が、スイッチ１２、１３を介してＤＶＤレコーダ２の信号処理部２２へ与えられる。スイッチ１２がｂ側に切り替わっており、スイッチ１３がｃ側に切り替わっているときは、外部入力端子３６から入力された映像信号が、スイッチ１２、１３を介してＤＶＤレコーダ２の信号処理部２２へ与えられる。信号処理部２２では、これらの映像信号に対して所定の信号処理が行われ、ディスクドライブ２１によりＤＶＤ１へ映像が記録される。
【００１９】
ＤＶＤレコーダ２とＶＣＲ５との間には、スイッチ１３、１４が設けられている。スイッチ１３がｄ側に切り替わっているときは、ＶＣＲ５で再生された映像信号がスイッチ１３を介して信号処理部２２へ与えられ、ディスクドライブ２１によりＤＶＤ１へ映像が記録される。スイッチ１４がｆ側に切り替わっているときは、信号処理部２２から出力されるコンポジット信号がＶＣＲ５へ与えられ、ＶＣＲ５はこの信号をビデオカセットテープ４に記録する。スイッチ１４がｅ側に切り替わっているときは、チューナ８または外部入力端子３６からの映像信号が直接ＶＣＲ５へ与えられ、ＶＣＲ５はこの信号をビデオカセットテープ４に記録する。
【００２０】
以上の構成において、ＤＶＤ１は本発明の第１の記録媒体に対応し、ＤＶＤレコーダ２は本発明の第１のレコーダに対応し、ビデオカセットテープ４は本発明の第２の記録媒体に対応し、ＶＣＲ５は本発明の第２のレコーダに対応し、ＤＶＤマイコン２３は本発明の第１のマイクロコンピュータおよび判定手段に対応し、ＴＶＣＲマイコン６は本発明の第２のマイクロコンピュータおよび制御手段に対応し、メモリ２４は本発明の記憶手段に対応している。
【００２１】
次に、ＤＶＤ１への録画中にディスク不良が原因で記録エラーが発生した場合の動作を説明する。図３は、録画再生装置ＡにおけるＤＶＤ録画時の動作を示すフローチャートである。図２において、スイッチ１２はａ側に切り替えられており、スイッチ１３はｃ側に切り替えられており、スイッチ１４はｅ側に切り替えられているとする。操作部３４もしくはリモコン（図示省略）において、ＤＶＤ１への録画操作を行うと、ＤＶＤレコーダ２では、チューナ８からスイッチ１２、１３を介して送られてくる映像信号に対して、信号処理部２２が所定の信号処理を行い、処理された映像信号をディスクドライブ２１によりＤＶＤ１に記録する（ステップＳ１）。なお、このときスイッチ１４はｅ側に切り替えられているが、ＴＶＣＲマイコン６からＶＣＲ５へは録画指令が与えられていないので、チューナ８からの映像信号はビデオカセットテープ４に記録されない。
【００２２】
ＤＶＤ１への録画が開始された後、ＤＶＤマイコン２３は、ＤＶＤ１の不良により録画が不能となったか否かを判定する（ステップＳ２）。ＤＶＤ１にキズや変形等の不良がなく、録画不能が発生してなければ（ステップＳ２：ＮＯ）、録画が終了か否かを判定し（ステップＳ３）、録画終了であれば（ステップＳ３：ＹＥＳ）、動作を終了し、録画終了でなければ（ステップＳ３：ＮＯ）、ステップＳ１へ戻ってＤＶＤ１への録画を継続する。ステップＳ２において、ＤＶＤ１の不良により録画が不能となった場合は（ステップＳ２：ＹＥＳ）、記録エラーと判断して、ＤＶＤマイコン２３はＴＶＣＲマイコン６へ録画不能の通知を行う（ステップＳ４）。
【００２３】
録画不能の通知を受け取ったＴＶＣＲマイコン６は、ＶＣＲ５によるバックアップ録画が可能か否かを判定する（ステップＳ５）。ここでのバックアップ録画とは、ＤＶＤ１が録画不能となった場合に、以後の映像をビデオカセットテープ４に引き続き録画することをいう。本実施形態では、バックアップ録画の可否を２つの条件に基づいて判定する。第１の条件は、バックアップ録画の実行が初期設定されているか否かである。図４は、モニタ３１に表示されるメニュー画面の例であり、この画面においてバックアップ録画の実行有無を初期設定する。図４では、バックアップ録画がＯＮとなっており、これはバックアップ録画の実行が設定されていることを表している。第２の条件は、録画可能なビデオカセットテープ４がＶＣＲ５に装填されているか否かである。これは、ビデオカセットテープ４の有無の検知結果と、テープ４における上書禁止用の爪の有無により判定する。すなわち、ビデオカセットテープ４が検知され、かつテープ４の爪が折られていない場合に、録画可能なテープが装填されていると判定される。
【００２４】
上記２つの条件が満たされた場合、すなわち、バックアップ録画の実行が初期設定されており、かつ、録画可能なビデオカセットテープ４がＶＣＲ５に装填されている場合は、ＴＶＣＲマイコン６は、バックアップ録画が可能と判定し（ステップＳ５：ＹＥＳ）、ＶＣＲ５に対して録画指令を与える（ステップＳ６）。一方、上記２つの条件の一方もしくは両方が満たされない場合は（ステップＳ５：ＮＯ）、ＴＶＣＲマイコン６は、バックアップ録画が不可能と判定し、ＶＣＲ５に録画指令を与えずに処理を終了する。
【００２５】
ＶＣＲ５は、ＴＶＣＲマイコン６からの録画指令を受け取ると、ビデオカセットテープ４への録画を開始する（ステップＳ７）。このとき、スイッチ１４がｅ側に切り替えられているので、チューナ８からの映像信号は、スイッチ１２、スイッチ１４を介してＶＣＲ５へ与えられ、ＶＣＲ５はこの映像信号をビデオカセットテープ４へ記録する。これによって、ＤＶＤ１において録画不能が発生した以後の映像は、ビデオカセットテープ４に録画されることになる。そして、録画が終了か否かを判定し（ステップＳ８）、録画終了でなければ（ステップＳ８：ＮＯ）、ステップＳ７へ戻ってビデオカセットテープ４への録画を継続し、録画終了であれば（ステップＳ８：ＹＥＳ）、ビデオカセットテープ４への録画を終了して、動作を終える。
【００２６】
以上のように、上記実施形態においては、ＤＶＤ１の不良が原因で録画ができなくなった場合に、ＤＶＤマイコン２３がＴＶＣＲマイコン６へ録画不能を通知し、ＴＶＣＲマイコン６からＶＣＲ５へ録画指令を与えて、ビデオカセットテープ４へのバックアップ録画を行うようにしている。このため、記録エラーが発生した時点から、以後の番組等の映像をビデオカセットテープ４に引き続いて録画することができる。このため、ユーザは、記録エラーが発生するまでの録画はＤＶＤ１を再生することで視聴することができ、記録エラーが発生した以後の録画はビデオカセットテープ４を再生することで視聴することができる。こうして、視聴者にとっては、録画したはずの番組等が途中から録画されていなかったという不測の事態を回避することができる。
【００２７】
また、ＤＶＤ１が録画不能になった場合に、無条件にバックアップ録画を行うと、ＶＣＲ５に録画済みのビデオカセットテープ４が装填されていたような場合に、テープ４の記録内容がバックアップ録画により上書きされて消去されてしまうおそれがあるが、上記実施形態では、バックアップ録画の実行有無を初期設定するようにしているので、ユーザは初期設定においてバックアップ録画の実行・不実行を状況に応じて選択することができ、バックアップ録画を不実行に設定することで、ビデオカセットテープ４の記録内容が誤って消去されるのを未然に防止することができる。
【００２８】
ところで、ＤＶＤ１への録画にあたっては、設定時間が到来すると自動的に録画を行うタイマー予約録画による場合が多い。タイマー予約録画を行った場合は、録画開始時間が到来しても、視聴者は録画再生装置Ａの場所にいないことが多いので、上述したように録画途中で記録エラーが発生した場合でも、視聴者はそのことに気づかず、後になって記録エラーの発生を知ることになる。したがって、タイマー予約録画での録画不能の場合に、自動的にバックアップ録画を行う本発明は特に有用であるといえる。この場合、録画再生装置Ａにおいて、バックアップ録画中であることを示す何らかの表示を行うようにすれば、ユーザにとって更に便利なものとなる。
【００２９】
図５は、タイマー予約録画を行う場合の設定画面を示している。この画面は、図４のメニュー画面においてタイマー予約録画を選択した場合に表示される。図５（ａ）は、メニュー画面（図４）においてバックアップ録画をＯＮにした場合で、バックアップ録画の欄に初期設定状態の「ＯＮ」が表示されている。図５（ｂ）は、メニュー画面においてバックアップ録画をＯＦＦにした場合で、バックアップ録画の欄に初期設定状態の「ＯＦＦ」が表示されている。このように、タイマー予約録画の設定画面に、バックアップ録画の初期設定状態を表示することで、ユーザは録画に先立ってバックアップ録画の実行有無を確認できるため、ビデオカセットテープ４の記録内容が誤って消去されるのを確実に防止することができる。
【００３０】
図６は、図４のメニュー画面においてバックアップ録画がＯＮに設定されているにもかかわらず、ＶＣＲ５に録画可能なビデオカセットテープ４が装填されていない場合のタイマー予約録画の設定画面を示している。図６（ａ）は、ビデオカセットテープ４そのものが装填されていない場合の表示例であり、バックアップ録画の欄に、録画ができない旨の「ＮＧ」が表示されているとともに、録画のできない原因がメッセージＭ１で表示されている。図６（ｂ）は、ビデオカセットテープ４は装填されているが、テープの爪が折られていて録画ができない場合の表示例であり、バックアップ録画の欄に、録画ができない旨の「ＮＧ」が表示されているとともに、録画のできない原因がメッセージＭ２で表示されている。このように、図５（ｂ）の「ＯＦＦ」の表示と区別して「ＮＧ」の表示をすることにより、ユーザに対して、バックアップ録画がＯＮに初期設定されているが録画可能なテープが装填されていないことを知らせることができる。また、メッセージＭ１、Ｍ２を表示することにより、ユーザは録画のできない原因を容易に知ることができるので、的確な対応をとることができる。なお、図６において、「ＮＧ」の表示に代えて「ＯＦＦ」を表示し、文字の色を図５（ｂ）の「ＯＦＦ」と異ならせる（例えば赤色で表示する）ことにより、両者の区別ができるようにしてもよい。
【００３１】
本発明は、以上述べた以外にも、種々の実施形態を採用することができる。例えば、上記実施形態においては、録画の途中で記録エラーが発生した場合を例に挙げたが、ＤＶＤ１の不良のためＴＯＣ（Table of Contents）情報が読めずにエラーが発生した場合、すなわち、最初からＤＶＤ１への記録が不可能な場合にも本発明を適用することができる。
【００３２】
また、上記実施形態においては、バックアップ録画時に、チューナ８や外部入力端子３６からの映像信号を直接ビデオカセットテープ４に記録するようにしたが、バックアップ録画時に、ＤＶＤレコーダ２からのコンポジット信号をビデオカセットテープ４に記録するようにしてもよい。この場合は、スイッチ１４がｆ側に切り替えられる。
【００３３】
また、ＤＶＤレコーダ２において、ＤＶＤ１に記録するチューナ８または外部入力端子３６からの映像データを一時的に記憶する記憶手段としてのバッファを設け、ＤＶＤレコーダ２で録画が不能となった時点から、上記バッファに蓄積されている映像データを順次読み出して、信号処理部２２からコンポジット信号としてＶＣＲ５へ与え、これをビデオカセットテープ４に記録するようにしてもよい。バッファは信号処理部２２またはメモリ２４に設けられる。録画不能が発生した時点からＶＣＲ５が実際のバックアップ録画を開始するまでには、一定のタイムラグがあるので、その間の放送映像をビデオカセットテープ４に記録できない可能性があるが、上記のようなバッファを設けて映像を蓄積しておけば、録画不能の発生直後の映像からビデオカセットテープ４に記録を行うことが可能となる。なお、この場合のビデオカセットテープ４への録画は、実際の放送映像から時間的に若干遅れたタイムシフト録画となる。
【００３４】
また、以上述べた実施形態では、図４のメニュー画面においてバックアップ録画の初期設定を行うようにしたが、図５のタイマー予約録画の設定画面においてバックアップ録画の初期設定を行うようにしてもよい。
【００３５】
さらに、以上述べた実施形態では、テレビと、ＤＶＤレコーダと、ＶＣＲとが一体になった複合機を例に挙げたが、ＤＶＤレコーダとＶＣＲとが一体になった複合機にも本発明を適用することができる。また、以上述べた実施形態では、第１の記録媒体がＤＶＤで、第１のレコーダがＤＶＤレコーダであり、第２の記録媒体がビデオカセットテープで、第２のレコーダがＶＣＲであったが、本発明は、第２の記録媒体がハードディスクで、第２のレコーダがハードディスクレコーダである場合、すなわちＤＶＤレコーダとハードディスクレコーダとが一体になった複合機にも適用することができる。
【図面の簡単な説明】
【００３６】
【図１】本発明にかかる録画再生装置の一例を示す正面外観図である。
【図２】録画再生装置の電気的構成を示したブロック回路図である。
【図３】録画再生装置におけるＤＶＤ録画時の動作を示すフローチャートである。
【図４】モニタに表示されるメニュー画面の例である。
【図５】タイマー予約録画を行う場合の設定画面の例である。
【図６】タイマー予約録画を行う場合の設定画面の例である。
【符号の説明】
【００３７】
Ａ    録画再生装置
１    ＤＶＤ
２    ＤＶＤレコーダ
４    ビデオカセットテープ
５    ＶＣＲ
６    マイクロコンピュータ（ＴＶＣＲマイコン）
２３  マイクロコンピュータ（ＤＶＤマイコン）
２４  メモリ
３１  モニタ
【図１】
2006197314.tif 000003
【図２】
2006197314.tif 000004
【図３】
2006197314.tif 000005
【図４】
2006197314.tif 000006
【図５】
2006197314.tif 000007
【図６】
2006197314.tif 000008